Podtech/llm-jp-corpus-v4-ja_patent huggingface dataset:
(57)【要約】      （修正有）【課題】強風下であっても物干し竿よりハンガーが飛ばされ落下することを防止する二連型竿挟みを提供する。【解決手段】ハンガーフックに対し二連型竿挟み１の片側にフォーク状挟み足部２を、他側に板面状挟み足部３を設ける。【選択図】図１
0003166184.tif 000002
【実用新案登録請求の範囲】
【請求項１】
ホォ−ク状挟み足部と板状挟み足部を持ったことを特徴とした二連型竿挟み。
【考案の詳細な説明】
【技術分野】
【０００１】  本考案は、ハンガーが風等により物干し竿より外れ飛ばされ落下しないように防止することを特徴とした二連型竿挟みに関するものである。
【背景技術】
【０００２】  ハンガ−を物干し竿で屋外に干した場合、強風時には物干し竿上を移動したり更には外れて落下することが多々ある。
【考案の概要】
【考案が解決しようとする課題】
【０００３】  一般的にハンガ−を物干竿に掛けて干す場合、竿上をハンガ−が移動しないようハンガ−の左右を２個の大型クリップを竿に挟んで阻止する場合が多い。
しかし強風等の時はハンガ−が干し物ごと大きく揺られた結果外れて飛ばされると言う場合がある。本考案はこれ等移動も押さえ且つハンガ−の落下も防止できるものである。
【課題を解決するための手段】
【０００４】  二連型竿挟みのフォ−ク状挟み足部の片側を、フォ−ク状と同湾曲を持った板面状とする。この板面はフォ−ク厚みの最外部に設け、内側にフォ−クの懐部を残すように設ける。他側はハンガ−フックの大きさのバラツキを考慮して通常の二連フォ−ク型とし自由度を持たせておく。
ハンガ−を竿に掛けたときにハンガ−フックの背側に二連型竿挟みの板面状側を合わせて竿にクランプすることでハンガ−は外れることが不可能となり、強風下でも外れることを防止できる。
【考案の効果】
【０００５】  本考案による二連型竿挟みを使うことにより屋外でのハンガ−を使った物干しが強風時であっても飛ばされ落下する事なく安心して干すことができる。
【図面の簡単な説明】
【０００６】
【図１】  二連型竿挟み斜視図
【図２】  竿にハンガ−を掛け二連型竿挟みをとりつけた時の断面図
【考案の実施するための形態】
【０００７】  本考案のフォ−ク状挟み足部並びに板状挟み足部の竿に接触する面は摩擦係数の高い部材又は形状とすることで竿との接触力が増し、更に移動防止力も増し好ましい。又フォ−クの間隔はハンガ−フック部の種々の形状材質等を考慮し適度な幅を持つことが好ましい。
【実施例】
【０００８】  添付図にしたがって実施例を説明する。１は二連型竿挟み本体、２はフォ−ク状挟み足部、３は板面状挟み足部、４は摩擦部材、５はハンガ−フック部、６は物干し竿、でありハンガ−フックの背側に板面状挟み部をクリップすることで取り付けは完了する。
【符号の説明】
【０００９】１、二連型竿挟み
２、二連型竿挟みのフォ−ク状挟み足部
３、二連型竿挟みの板面状挟み足部
４、二連型竿挟みの挟み部内面の摩擦部
５、ハンガ−フック部
６、物干し竿
【図１】
0003166184.tif 000003
【図２】
0003166184.tif 000004
(57)【要約】      （修正有）【課題】半分の使用電力を節約することができる節電効果をもつとともに、電池の使用寿命を大幅に向上させることが可能な省エネ型ストリングライトを提供する。【解決手段】電源プラグを、電源コードと少なくとも一つのストリングライトに接続してなる。電源コードとストリングライトの間には、ストリングライトに提供する電源のオンとオフを瞬間的に切り換え残像効果を生じさせるためのシーケンス制御装置が設けられる。【選択図】図２
0003166161.tif 000002
【実用新案登録請求の範囲】
【請求項１】
電池を電源として使用した省エネ型ストリングライトであって、
前記省エネ型ストリングライトは、電源プラグを、電源コードと少なくとも一つのストリングライトに接続してなり、
電源コードとストリングライトの間には、ストリングライトに提供する電源のオンとオフを瞬間的に切り換え残像効果を生じさせるためのシーケンス制御装置が設けられることを特徴とする、省エネ型ストリングライト。
【請求項２】
前記シーケンス制御装置は、人の目の視覚が１／２４秒残像が残るという原理を用いて、１／２４秒ごとにオン及びオフの一連動作を行い、即ち各１／４８間隔で電源のオンとオフを切り替え、
瞬間的にオンとオフを切り替えられた電源がストリングライトに供給されることにより、ストリングライトが点滅を繰り返して残像効果が生じ、ランプがずっと点灯して見える視覚効果を生じることを特徴とする、請求項１に記載の省エネ型ストリングライト。
【請求項３】
クリスマスライト、爆竹ライト、及び庭園ライトに適用される、電池を電源として使用したストリングライトであることを特徴とする、請求項１に記載の省エネ型ストリングライト。
【考案の詳細な説明】
【技術分野】
【０００１】
本考案はストリングライトの技術改良に関し、特にシーケンス制御装置を利用して、節電効果を達成することができるストリングライトに関する。
【背景技術】
【０００２】
一般的によく見られるストリングライトの電源のオンとオフの切り換え方法を図１に示す。それは、ストリングライト１の電源コード１２にオンオフスイッチ１４を設けるだけという単純な方法であり、オンの時は、電源がストリングライト１３のランプに完全に供給されランプは点灯する。このような電源供給方法は節電の機能がなく、交流電流を使用したストリングライトにとっては、エネルギーの浪費であるだけだが、直流電流を使用したストリングライトにとっては、電池の使用寿命を延長できず、電池を頻繁に交換する必要があるという欠点が生じるため、従来の技術は理想的とは言えず、改善が待たれる。
【考案の概要】
【考案が解決しようとする課題】
【０００３】
そこで、本考案は、半分の使用電力を節約することができる節電効果をもつとともに、電池の使用寿命を大幅に向上させることが可能な省エネ型ストリングライトを提供することを目的とする。
【課題を解決するための手段】
【０００４】
本考案による省エネ型ストリングライトは、電池を電源として使用したストリングライトであり、ストリングライトの電源コードにシーケンス制御装置を設けることにより、各１／４８間隔で電源のオンとオフを切り替えて、ストリングライトに点滅を繰り返させ、残像効果でランプがずっと点灯して見える視覚効果を生じる。
【図面の簡単な説明】
【０００５】
【図１】一般的なストリングライトの構造を示した説明図である。
【図２】本考案のストリングライトの構造を示した説明図である。
【考案を実施するための形態】
【０００６】
図１を参照する。本考案による省エネ型ストリングライトは、電池を電源として使用したストリングライト（例えば、クリスマスライト、爆竹ライト、庭園ライト等）である。本考案の実施例によるストリングライト１０は、電源プラグ１１を、電源コード１２と少なくとも一つのストリングライト１３に接続してなる。本考案の特徴は、電源コード１２とストリングライト１３の間にシーケンス制御装置２０を設ける点にある。人の目の視覚が１／２４秒残像が残るという原理を用いて、シーケンス制御装置２０は、１／２４秒ごとにオン及びオフの一連動作を行い、即ち各１／４８間隔で電源のオンとオフを切り替える。そして、瞬間的にオンとオフを切り替えられて電源がストリングライト１３に供給されることにより、ストリングライトが点滅を繰り返して残像効果が生じ、ランプがずっと点灯して見える視覚効果を生じる。以上により、半分の使用電力を節約することができるため、節電効果をもつとともに、電池の使用寿命を大幅に向上させることができる。
【符号の説明】
【０００７】
１    ストリングライト    
１１  電源プラグ    
１２  電源コード    
１３  ストリングライト  
１４  オンオフスイッチ    
２０  シーケンス制御装置
【図１】
0003166161.tif 000003
【図２】
0003166161.tif 000004
【手続補正書】
【提出日】平成22年12月3日(2010.12.3)
【手続補正１】
【補正対象書類名】実用新案登録請求の範囲
【補正対象項目名】全文
【補正方法】変更
【補正の内容】
【実用新案登録請求の範囲】
【請求項１】
電源プラグを、電源コードと少なくとも一つのストリングライトに接続してなる省エネ型ストリングライトであって、
電源コードとストリングライトの間には、ストリングライトに提供する電源のオンとオフを瞬間的に切り換え残像効果を生じさせるためのシーケンス制御装置が設けられることを特徴とする、省エネ型ストリングライト。
【請求項２】
前記シーケンス制御装置は、人の目の視覚が１／２４秒残像が残るという原理を用いて、１／２４秒ごとにオン及びオフの一連動作を行い、即ち各１／４８間隔で電源のオンとオフを切り替え、
瞬間的にオンとオフを切り替えられた電源がストリングライトに供給されることにより、ストリングライトが点滅を繰り返して残像効果が生じ、ランプがずっと点灯して見える視覚効果を生じることを特徴とする、請求項１に記載の省エネ型ストリングライト。
【請求項３】
前記省エネ型ストリングライトはクリスマスライト、爆竹ライト、及び庭園ライトに適用されることを特徴とする、請求項１に記載の省エネ型ストリングライト。
(57)【要約】      （修正有）【課題】バルーンを用いた今までにない新規な遊戯のための枠体を提供する。【解決手段】各々環状の上枠と下枠間を接続枠にて上下に接続し、上枠上方に適宜支持部材にてバルーン係留環を設け、下枠下部に係留環を設ける。【選択図】図３
0003166168.tif 000002
【実用新案登録請求の範囲】
【請求項１】
各々環状の上枠と下枠間を接続枠にて上下に接続し、上枠上方に適宜支持部材にてバルーン係留環を設け、下枠下部に係留環を設けたことを特徴とする遊戯バルーン用枠体。
【請求項２】
下枠内側に、下枠より小径の中枠を設けてなる請求項１記載の遊戯バルーン用枠体。
【考案の詳細な説明】
【技術分野】
【０００１】  この考案は、バルーン利用による空中浮遊やジャンピングなどの遊戯に用いる枠体に関する。
【背景技術】
【０００２】  従来よりバルーンは大小様々なものが利用されているが、本案にて示すようなバルーン用の枠体は見あたらない。
【考案の開示】
【考案が解決しようとする課題】
【０００３】  バルーンは昔から様々な形で利用されている。一般的にはヘリウムガスを封入した小型のゴム風船が子供用として利用されてきた。また、中型のものとしてはアドバルーン、大型では飛行船がある。これらのバルーンに属するものとしての利用は、バルーンを空中浮遊させるのが目的であるが、バルーンを直に遊戯用として用いるものは見あたらない。
本案は、バルーンを直に利用する新趣向を生み出し、利用時の搭乗者安全に寄与する手段を提供するものである。
【課題を解決するための手段】
【０００４】  課題を解決する手段として本案は以下の構成とした。すなわち、各々環状の上枠と下枠間を接続枠にて上下に接続し、上枠上方に適宜支持部材にてバルーン係留環を設け、下枠下部に係留環を設ける。本案は以上の構成よりなる遊戯バルーン用枠体である。なお、下枠内側に中枠を付加して構成してもよい。
【考案の効果】
【０００５】  本発明によれば、枠体内に人体を安定保持させて、バルーン浮力にて空中浮遊やジャンピングを楽しむための新規かつ有用なる物品を得ることができる。万一利用中に壁面等に衝突しても、枠体内に人体が位置するので、けがの防止を図ることができる。
【考案を実施するための最良の形態】
【０００６】  以下、本考案の実施形態について説明する。
図において、１は上枠で、合成樹脂管を円形に形成したもので、その上部には同材質による半円形管体を直角に交差してその下端を上枠に接合してなる環固定枠２が位置し、その最上位置には金属管による適宜径管体によるバルーン係留環３の下部が接合固着される。４は直管による接続枠で、その上縁は前記上枠下面に四等配にて固着され、下縁は上枠と同一物である下枠５上面に固着される。６は小径環体による係留環で、下枠下面に四等配にその上部が固着される。なお、図の仮想線にて示すように、使用時には小型座面をベルトにて上枠と下枠に接続し、ここに搭乗者が座り、シートベルトにて人体は座面に保持される。
本案利用時は図３にて示すごとく、座面に小児や乳幼児を乗せてシートベルトにて人体を座面に保持し、バルーンのロープをバルーン係留環に保持する。このときカラビナ等を用いるなどしてバルーンの離脱を防止する必要がある。係留環にロープ等を同様に保持させ、その下部を成人が保持する。バルーン浮力にて枠体は上昇し、ロープ長まで達してその上昇は停止し、ロープ保持者の移動につれて枠体も移動する。これは従来にない浮遊方式であり、搭乗者は高所からの景観を体験し、ロープ保持者は上方に位置する人物を見上げて楽しむことができる。ロープ保持者がロープをたぐり寄せることにて枠体を下降させることができ、バルーンを外してから搭乗者を枠体からおろすことができる。【０００７】  図４〜図６は本案の他例を示すものである。図において、１０は上枠、１１は環固定枠、１２はバルーン係留環、１３は接続枠、１４は下枠、１５は係留環で、以上はサイズが異なるが前例と同様構成である。１６は中枠で、下枠よりやや小径の環体であり、適宜部材にて下枠と略同一平面位置に設けられる。１７は発泡合成樹脂によるクッション体で、中枠適所に覆設される。本例は、少年や成人を対象としたもので、仮想線にて示すごとくベルト等を用いた人体保持手段が設けられる。使用時は図のごとく枠体に人体を保持し、搭乗者は中枠のクッション体を握り、バルーンを係留する。このときバルーン浮力は人体と枠体の総重量を超えない範囲とする。この状態にて搭乗者が床面を軽く蹴ると枠体ごと人体は上昇し、やがて下降して床面近傍に至り、再び蹴ることにて、浮遊に近いジャンピングを楽しむことができる。また、搭乗者は中枠をつかんで人体の安定を図ることができる。【０００８】  以上、本案について説明したが、本案はバルーンを利用した新しい趣向に用いる安全手段を提供するものである。バルーンに人体を吊下させて浮遊するとき、その環境や移動方向によっては人体に危険となる場合が想定される。本案は枠体内に人体を安定位置させることができ、例えば壁面等への衝突時においても、人体に対する直接的なショックを回避して安全に楽しむことのできるものである。本案に不随して紹介した遊びは従来なかったものであり、新規なる体験を提供するものである。なお、搭乗者の体重を考慮して、係留バルーン数やバルーンサイズの変更にて適宜な浮力を得ることができる。また、第２例にも係留環があるので、前例のごとくロープを用いて浮遊範囲を制限することができる。
以上のごとく、本案によって安全なる浮遊を楽しむための有用なる物品を得ることができる。
【図面の簡単な説明】
【０００９】
【図１】  本考案の平面図
【図２】  本考案の正面図
【図３】  本考案の使用状態図
【図４】  本考案の他例の平面図
【図５】  本考案の他例の正面図
【図６】  本考案の他例の使用状態図
【符号の説明】
【００１０】  １    上枠
２    環固定枠
３    バルーン係留環
４    接続枠
５    下枠
６    係留環
１０  上枠
１１  環固定枠
１２  バルーン係留環
１３  接続枠
１４  下枠
１５  係留環
１６  中枠
１７  クッション体
【図１】
0003166168.tif 000003
【図２】
0003166168.tif 000004
【図３】
0003166168.tif 000005
【図４】
0003166168.tif 000006
【図５】
0003166168.tif 000007
【図６】
0003166168.tif 000008
(57)【要約】      （修正有）【課題】階段昇降時に、ひざや足への体重負担を軽減するために、スプリングを利用して、弾力効果を付与した階段に使用する踏み板を提供する。【解決手段】階段の各段に取付ける階段昇降補助具であって、同階段の各段板床面に上下方向に弾性発現可能な弾力性のあるバネ部材２を取付けた台座１を介して踏み板６を装着する。バネ部材が少なくとも、１本以上のピアノ線２からなり、かつ、バネ部材の一端を台座１に固着し、前記バネ部材の他端側を上記台座にスライド可能に装着し、更に、台座に固着した上記バネ部材の一端に対し、前記バネ部材の他端側を前記台座に斜め上向きに装着し、バネ部材であるスプリングの屈曲角度を大にして、弾力アップを強化した階段昇降補助具とする。【選択図】図５
0003166164.tif 000002
【実用新案登録請求の範囲】
【請求項１】
階段の各段に取付ける階段昇降補助具であって、同階段の各段板床面に上下方向に弾性発現可能な弾力性のあるバネ部材を取付けた台座を介して踏み板を装着したことを特徴とする階段昇降補助具。
【請求項２】
上記バネ部材が少なくとも、１本以上のピアノ線からなることを特徴とする請求項１に記載の階段昇降補助具。
【請求項３】
上記バネ部材の一端を上記台座に固着し、前記バネ部材の他端側を上記台座にスライド可能に装着したことを特徴とする請求項１に記載の階段昇降補助具。
【請求項４】
上記台座に固着した上記バネ部材の一端に対し、前記バネ部材の他端側を前記台座に斜め上向きに装着したことを特徴とする請求項３に記載の階段昇降補助具。
【考案の詳細な説明】
【技術分野】
【０００１】  本考案は、階段昇降時に、ひざや足への体重負担を軽減するために、スプリングを利用して、弾力効果を付与した階段に使用する踏み板に関するものである。
【背景技術】
【０００２】  ある程度の個人差はあるが、誰でも年を重ねる度に、ひざや足が弱り、歩行や階段の昇降が困難で、苦痛となっている。そのため、従来は、コイルスプリングを用いた階段昇降具が市販されているが、独立懸架機構が採用されているために、安定性が乏しくほとんど使用されていない。
【考案の開示】
【考案が解決しようとする課題】
【０００３】  そこで、本考案は、従来の階段昇降補助具の欠点や課題を鋭意研究した結果、ひざや足への負担軽減を可能にする階段昇降補助具を提供するものである。
【課題を解決するための手段】
【０００４】本考案は、階段の各段に取付ける階段昇降補助具であって、同階段の各段板床面に上下方向に弾性発現可能な弾力性のあるバネ部材を取付けた台座を介して踏み板を装着したことを特徴とする階段昇降補助具で、バネ部材が少なくとも、１本以上のピアノ線からなり、かつ、バネ部材の一端を台座に固着し、前記バネ部材の他端側を上記台座にスライド可能に装着したことを特徴とし、更に、台座に固着した上記バネ部材の一端に対し、前記バネ部材の他端側を前記台座に斜め上向きに装着し、バネ部材であるスプリングの屈曲角度を大にして、弾力アップを強化した階段昇降補助具である。【０００５】
【考案の効果】
【０００６】  以上のように、本考案に係る階段昇降補助具を、階段の段板上に敷設することにより、階段上昇時には、踏み込んだスプリングの反発力により、踏み板と共に踏み込んだ足を上向きに押し上げて、助勢することにより、脚力が衰えても上段に足を運べて、ひざや足への負担軽減が可能になった。【０００７】
【図面の簡単な説明】
【０００８】
【図１】本考案に係る階段昇降補助具の要部を示す斜視図
【図２】本考案に係る階段昇降補助具の踏み板とスプリングの接続部を示す斜視図
【図３】本考案に係る階段昇降補助具の踏み板と滑り止めの状況を示す斜視図
【図４】本考案に係る階段昇降補助具の台座本体とスプリング上部に配置した踏み板の状況を示す要部の斜視図
【図５】本考案に係る階段昇降補助具の台座本体の曲折部を段板の縁に沿って平行に配置したスプリングの屈曲状況を示す側面図である。
【考案を実施するための最良の形態】
【０００９】  本考案に係る階段昇降補助具の具体例を図１から図５を参照して以下説明する。
【実施例】
【００１０】  以下、本考案の実施例について具体例を挙げて説明する。本実施例では、図１に図示する如くＬ字状のスプリング台座１の基部に、スプリング（ピアノ線）２の一端を取付けたあと、図２に図示する如くスプリング（ピアノ線）２の他端側を、踏み板装着捧３のスライド式穴（スプリング挿入孔）４にスライド可能に挿入し、踏み板装着捧３を踏み板装着ネジ５を介して踏み板６に締付けた。次に、図３に図示する踏み板６に刻設した台座取り付け用のジョイント溝Ｂに、Ｌ字状のスプリング台座１の基部側の台座ジョイント部Ａを嵌め込んだ。
更に、Ｌ字状のスプリング台座１を段板上固定捧８を介在して踏み板６に取り付けた。【００１１】  図４は本考案に係る階段昇降補助具の台座本体であるＬ字状のスプリング台座１とスプリング２の上部に配置した踏み板６の状況を示し、図５は、階段昇降補助具のＬ字状のスプリング台座１とスプリング２の屈曲状況を示している。図中の符号９は階段を、符号１０は、足を図示している。
【符号の説明】
【００１２】  １  スプリング台座
２  スプリング（ピアノ線）
３  踏み板装着捧
４  スライド式穴（スプリング挿入孔）
５  踏み板装着ネジ
６  踏み板
７  滑り止め
８  段板上固定捧
９  階段
１０  足
Ａ  踏み板と台座のジョイント部
Ｂ  踏み板に刻設した台座取り付け用のジョイント溝
【図１】
0003166164.tif 000003
【図２】
0003166164.tif 000004
【図３】
0003166164.tif 000005
【図４】
0003166164.tif 000006
【図５】
0003166164.tif 000007
(57)【要約】      （修正有）【課題】イヤリングやペンダント等において、首に掛ける鎖等の掛止手段の下端にクリップのつまみの一方を接続することで、ヘッドパーツを容易に交換できるようにした装飾具を提供する。【解決手段】装身具の主要部であるヘッドパーツと、前記ヘッドパーツを身体の一部に掛止する掛止手段を備えた装身具において、前記掛止手段に、ヘッドパーツを取り外し可能に挟持するクリップを接続する。【選択図】図２
0003166014.tif 000002
【実用新案登録請求の範囲】
【請求項１】
装身具の主要部であるヘッドパーツと、前記ヘッドパーツを身体の一部に掛止する掛止手段を備えた装身具において、前記掛止手段に、ヘッドパーツを取り外し可能に挟持するクリップを接続したことを特徴とする装身具。
【考案の詳細な説明】
【技術分野】
【０００１】  この考案は、ピアス、イヤリング、ペンダントなどの装身具、特にその形状および機構に関する。
【背景技術】
【０００２】  図１は、従来のペンダントの構成を示している。従来は、図１に示すように、ペンダントの首に掛ける掛止部１０に、最初から、ペンダントの主要部であるヘッドパーツ（宝石や細工装飾など）１が接続されており、使用者が簡単にはヘッドパーツを交換できない構造とされていた。このことは、ペンダントに限らず、ピアス、イヤリング、ネックレスその他の装飾具についても同様であった。
【先行技術文献】
【０００３】
【非特許文献】
【非特許文献】ジュエリーデザイン制作事典−知っておきたいジュエリーのプロ知識（美術出版社、２０００年）
【考案の概要】
【考案が解決しようとする課題】
【０００４】  上記のように、従来の装飾具は、掛止手段であるペンダントの首に掛ける部分やイヤリングの耳に固定する部分に、ヘッドパーツが固定されているか、容易には取り外すことができないように接続されていた。このため、他のヘッドパーツを身につけたい場合には、新たにアクセサリーを入手するか、工具を使ってヘッドパーツを交換する必要があった。
そこで、この考案は、装飾具において、ヘッドパーツのみを容易に交換でき、しかもそのための機構が見る者の興味を引く装飾具を提供することを目的とする。
【課題を解決するための手段】
【０００５】  上記の目的を達成するために、本考案では、装身具の主要部であるヘッドパーツと、前記ヘッドパーツを身体の一部に掛止する掛止手段とを備えた装身具において、前記掛止手段に、ヘッドパーツを取り外し可能に挟持するクリップを接続したことを特徴とする。
【考案の効果】
【０００６】  掛止手段にクリップを接続したことによって、使用者自身が工具などを使わずに、容易にヘッドパーツを付け替えることができる。また、一般のクリップを使用することで、これまでの装身具にない装飾性を表現することができる。
【図面の簡単な説明】
【０００７】
【図１】従来のペンダントを示した正面図である。
【図２】本考案の一実施形態のペンダントを示した正面図である。
【図３】本考案の一実施形態のピアスを示した正面図である。
【図４】本考案の一実施形態のピアスのクリップ部を開いた状態を示した正面図である。
【考案を実施するための形態】
【０００８】  以下で、本考案の実施の形態を、図２乃至４を参照して説明する。
【０００９】  図２に示すように、本実施形態のペンダントでは、首に掛ける鎖（掛止手段）の下端部に、クリップのつまみの一方が接続されている。このクリップは、通常の状態では、内部のバネによって、図２や図３に示すように先端部が閉じている。この状態で、クリップの上部の両側を例えば親指と人指し指でつまむと、図３に示すように先端部が開き、指を離すとバネの力によって先端部が閉じる。市販の一般的なクリップであれば、通常のヘッドパーツを保持する十分な付勢力を備えている。
【００１０】  本実施形態では、このようなクリップの先端部にヘッドパーツを取り付けるようにすることによって、ヘッドパーツを掛止手段から容易に取り外し可能とした。したがって、複数のヘッドパーツを所有しているれば、その日の気分に応じてさまざまなヘッドパーツを選択して取り付けることができる。また、あえて一般的なクリップを利用したこきによって、ある種の遊び心を表現することができ、このようなものを用いることによって、見る者の興味を喚起することができる。
【００１１】  図３及び図４は、本考案をピアス（耳飾り）に適用した場合の例を示している。すなわち、耳たぶに穿設した孔に掛止する掛止手段の先端にクリップが接続されており、このクリップの先端部にヘッドパーツを取り付ける。このように、本考案は、各種の装飾具に適用することができ、ペンダントやピアスに限られるものではない。
【符号の説明】
【００１２】１  従来のアクセサリーに付属するヘッドパーツ
２  クリップ
１０  掛止手段
【図１】
0003166014.tif 000003
【図２】
0003166014.tif 000004
【図３】
0003166014.tif 000005
【図４】
0003166014.tif 000006
(57)【要約】      （修正有）【課題】色むらや、曲がりのない植物油をつけた木製ピンがはやく大量に生産でき、安心して使用できる頭皮マッサージブラシを提供する。【解決手段】本ヘアブラシ用木製ピンを容器にはいった植物油の中に負荷をかけて沈め、さらに容器のまわりの空気を減圧する。植物油が木製ピンの全体をおおい、むらなく植物油をつけるとともに  容器のまわりの空気を減圧することにより植物油が木製ピンの中までむらなく吸収される。【選択図】図３
0003166020.tif 000002
【実用新案登録請求の範囲】
【請求項１】
植物油を容器に入れ、その植物油中に木製のヘアブラシ用ピンを負荷をかけて沈めさらにその容器のまわりの空気を減圧することにより  植物油を木の中深くまで含浸させたヘアブラシ用の木製ピン。
【考案の詳細な説明】
【技術分野】
【０００１】本考案は頭皮をマッサージするヘアブラシに関するものである。
【背景技術】
【０００２】従来の頭皮をマッサージするヘアブラシには木製のピンを使用したものがあり、さらにこの木製ピンに植物油をつけたものがある。
【考案の開示】
【考案が解決しようとする課題】
【０００３】従来の頭皮をマッサージするヘアブラシの木製ピンは植物油が不均一について色むらができたり、曲がったりして使用時に不快感のあるものがある。また植物油をピンにつけるのに時間がかかった。
【課題を解決するための手段】
【０００４】本考案は〔図１〕のヘアブラシ用木製ピンを〔図２〕のように容器にはいった植物油の中に負荷をかけて沈め  さらに〔図３〕のように容器のまわりの空気を減圧する。
【考案の効果】
【０００５】木製ピン〔図１〕は植物油に浮くので  植物油がつく部位とつかない部位があったが〔図２〕のように負荷をかけて植物油中に沈めることで、全体に植物油をつけることができる。さらに〔図３〕のように〔図２〕の植物油を入れた容器のまわりの空気を減圧することにより  木製ピン中の空気が強制的に吸い出され、よりはやく植物油を中までしみ込ませることができる。
【実施例】
【０００６】〔図２〕のように木製ピンは負荷をかけられて植物油中に沈められると  木製ピンは全体が植物油におおわれ  むらなく植物油をつけることができる。また〔図３〕のように植物油を入れた容器のまわりの空気を減圧することにより木製ピン中の空気が強制的に吸い出され、空気のかわりに植物油がしみこむ。
【産業上の利用可能性】
【０００７】色むらや、曲がりのない植物油をつけた木製ピンがはやく大量に生産でき  安心して使用できる頭皮マッサージブラシを供給することができる。
【図面の簡単な説明】
【０００８】
【図１】木製ヘアブラシ用ピン
【図２】木製ヘアブラシ用ピンを植物油中に負荷をかけて沈めた。
【図３】〔図２〕の容器のまわりの空気を減圧する。
【図１】
0003166020.tif 000003
【図２】
0003166020.tif 000004
【図３】
0003166020.tif 000005
(57)【要約】      （修正有）【課題】内容物の荷重による底抜けを防ぎ、隙間が生じにくく、中のものを取りだし難い底構造の箱を提供する。【解決手段】地獄底を形成するとじ蓋の内、一つを箱に内接する大きさにすることで底パッドとし、底部全体の強度を上げるとともに底パッドとしたとじ蓋に湾曲した差し込み口を設け、残るとじ蓋を差し込みやすくするとともに外部より圧力が生じても底パッドと湾曲した差し込み口により隙間が生じにくい構造とする。【選択図】図１
0003166015.tif 000002
【実用新案登録請求の範囲】
【請求項１】
四方向から構成されているとじ蓋で、その内、少なくとも一つのとじ蓋は、箱の内寸と内接する大きさで中央に湾曲した差し込み口を有するとじ蓋による底部を持つ箱。
【考案の詳細な説明】
【考案の詳細な説明】
【技術分野】
【０００１】段ボールや紙あるいは、プラスチック・ダンボールによる箱において関西では地獄底と称される底を抜けにくくした底構造に関する。
【背景技術】
【０００２】地獄底と称する底構造は、四方向からなるとじ蓋の内、最後のとじ蓋を外側から内側へ大きく押しこんだ後、底全体を外側へ戻すことで引っかかりを生じさせ、抜けにくくする構造であった。
【考案が解決しようとする課題】
【０００３】地獄底構造は、内側へ押し込むことで引っかかりが生じさせるのであるが、再び、内側へ大きく押しこむことで引っかかりを解除する、あるいは隙間を生じさせ、内容物を取り出せてしまう構造的な問題があった。
【０００４】また、とじ蓋が四方向から形成されることによって中心に荷重がかかると底抜けしやすい問題も含んでいた。
【課題を解決するための手段】
【０００５】底を形成する四方向からなるとじ蓋の内、少なくとも一面を底の内寸と同程度の大きさにすることで底パッドとし、さらにその面に湾曲した差し込み口を設ける。
【作用】
【０００６】底の内寸と同程度の大きさのとじ蓋は、底パッドとなり、箱の内側に沿うことで底全体の強度を増すことになる。
【０００７】また、底パッドが底の内側全体に接することで内容物からの抵抗が生じやすく、外部より内部へ圧力がかかった場合にも内部へ凹みにくい作用を生じる。
【０００８】さらにその面に湾曲した差し込み口を設けることで残るとじ蓋からの差し込みを容易にするとともに外部から圧力が加えられても隙間が生じにくく、差し込み部分からとじ蓋を引き出しにくい構造となっている。
【考案の効果】
【０００９】物流の過程で内容物の荷重によって底が抜けてしまうだけでなく、意図的に内容物を底部から取り去ってしまう事柄も見受けられたことから、当構造の底を利用する事で底全体の強度を増して底抜けしにくくし、外部より圧力が加わっても手指が入るような隙間を生じさせないことから抜き取りを未然に防ぐことが可能になる。
【図面の簡単な説明】
【００１０】
【図１】  図６の展開例をのりづけした四角い筒状のもの
【図２】  フラップ付とじ蓋を内部に差し込んだ状態
【図３】  左右のとじ蓋をフラップ付とじ蓋に差し込んだ状態
【図４】  最後のとじ蓋を差し込んだ状態
【図５】  底封入後の箱内部
【図６】  展開例
【考案を実施するための形態】
【００１１】  以下、本考案の実施の形態を添付図面に基づき具体的に説明する。
図６は、本考案の一例を示す展開図である。箱の内寸と内接する大きさのとじ蓋００２と他のとじ蓋００３ととじ蓋００４ととじ蓋００５から構成されており、とじ蓋００２の中央部には、湾曲した差し込み口を設けている。
【００１２】  図６ののりしろ００８を用いて糊づけする事により、図１に示すように四角い筒状のものが形成される。
【００１３】    図２に示すように底の部分となるとじ蓋００２をフラップ００７より、箱の内側に折り込み、図３に示すようにとじ蓋００２の中央にある湾曲した差し込み口００６にとじ蓋００３ととじ蓋００５を差し込み、図４に示すように最後にとじ蓋００４を差し込むと底が形成される。
【００１４】  図５は、とじ蓋を差し込まれた状態を箱内部から見たものであり、底が形成された後、箱に収納物を入れ、封入するととじ蓋００２が底パッドとなって、内容物の荷重による圧力を受け止めるだけでなく、とじ蓋００２の湾曲した差し込み口００６の形状により、外部より底へ圧力を加えても隙間が生じることがなく、手指をさし入れて、内容物を抜き取ることが困難になる。
【産業上の利用の可能性】
【００１５】    段ボール箱や紙、あるいはプラスチック・ダンボールを用いた物流用の箱。
【符号の説明】
【００１６】００１    箱本体
００２    底とじ蓋
００３    底とじ蓋
００４    底とじ蓋
００５    底とじ蓋
００６    湾曲した差し込み口
００７    フラップ
００８    のりしろ
【図１】
0003166015.tif 000003
【図２】
0003166015.tif 000004
【図３】
0003166015.tif 000005
【図４】
0003166015.tif 000006
【図５】
0003166015.tif 000007
【図６】
0003166015.tif 000008
(57)【要約】      （修正有）【課題】顔肌表面の脱毛処理に使用する糸にあって、第一の糸に金属を付着し構成された糸を第二の糸に等間隔を設け、らせん状に圧着し巻きつけた糸を一本の糸として使用し顔肌表面への負担の軽減を図ることができる糸を提供する。【解決手段】第一の糸に金属を付着し構成された糸１を第二の糸２に等間隔を設けらせん状に圧着することにより一本の糸とし、自在に操れるようにし、肌表面への処理をおこなうことで、マッサージ効果に優れ老化防止や更に、美容及び美肌効果も得られることにより、安全性に優れ問題点防止に役立つ。【選択図】図１
0003166019.tif 000002
【実用新案登録請求の範囲】
【請求項１】
極細伸長性の糸に金属を付着し構成された第一の糸を第二の糸に巻きつけたことを特徴とする美容用の糸。
【請求項２】
前記金属は、１８金又は、２４金であることの請求項１記載の糸。
【請求項３】
前記第一の糸は、極細ポリエステル糸であることの請求項１記載の糸。
【請求項４】
前記第二の糸は、綿糸及び、絹糸、既成糸であることの請求項１記載の糸。
【考案の詳細な説明】
【技術分野】
【０００１】  本考案は、極細伸長性の糸に金属を付着し構成されたことを特徴とする第一の糸を第二の糸に等間隔を設け、らせん状に圧着し巻きつけることにより美容及び、美肌効果を促進する糸に関するものである。
【背景技術】
【０００２】  従来において美容サロンでは、綿糸や絹糸、更に既製糸を用いた方法のみによる顔肌表面の脱毛処理を施していた。
【考案の概要】
【考案が解決しようとする課題】
【０００３】  従来において美容サロンでは、綿糸や絹糸、更に既製糸を用いて顔肌表面の脱毛処理を施していた。その際には、顔肌表面への負担が大きく赤色症状の発生、それにともなう痛み、更には発疹をひきおこす症状など問題点が多く安全性に欠けていた。従って、極細伸長性の糸に金属を付着し構成された第一の糸を第二の糸に等間隔を設け、らせん状に圧着し巻きつけた糸を使用することにより前述の欠点を解決しようとするものである。
【課題を解決するための手段】
【０００４】  そこで、本考案は、極細伸長性の糸に金属を付着し構成された第一の糸を第二の糸に等間隔を設け、らせん状に圧着し巻きつけた糸を用いるようにした。その糸を１メートル程度使用し、その糸の両端に自在に調節可能な輪を設け、その糸の一端を一方の手の親指の第一関節周辺に装着固定し、更に、他端を一方の手の人差し指の爪の生え際周辺に装着固定する。垂れ下がるその糸の中央部に他方の手の親指を除く四指をくぐらせ、あやとりのようにその糸を支え、一方の手及び、他方の手のそれぞれの五指を垂直に立て、胸の前で垂みのないように広げて持つ。更に一方の手の一端に装着固定された親指を前方に数回、回転し巻きつけ、同時に他方の手の手首を手前に同数回、回転させ、他方の手の中指、薬指、小指にて掌にその糸を包み込み支え、更に他方の手の親指と人差し指で糸を抑え込むようにし落下を防ぎ、糸の中央部に交差状態を作る。一方の手及び、他方の手を下方向に向け、一方の手の親指と人差し指に装着固定されたその二指を開閉しながらその糸の中央部にできた交差箇所にて顔肌表面の処理をおこなうことで、その糸の特徴であるらせん状面の構成により滑りも良く弾力性を得たその糸での顔肌表面の移動も容易に可能となり、顔肌表面への負担も軽減されることにより安全性を確保し問題点を解決している。
【考案の効果】
【０００５】  上述のように、本考案の糸であれば、顔肌表面に赤色症状の発生又は、それにともなう痛みや発疹をひきおこす症状などの問題点も解決されることは勿論、顔肌表面の老廃物も除去され、弾力性の伴うマッサージ効果にも優れ血液の循環作用にも働きかけ血行も促進され、顔肌表面の老化防止作用を促進し美容及び、美肌効果に役立つ。
【図面の簡単な説明】
【０００６】
【図１】本考案の極細伸長性の糸に金属を付着し等間隔を設け、らせん状に圧着し巻きつけた糸の実施例を示す正面図である。
【図２】本考案の極細伸長性の糸に金属を付着し等間隔を設け、らせん状に圧着し巻きつけた糸の実施例を示す斜視図である。
【考案を実施するための形態】
【０００７】  本考案の極細伸長性の糸に金属を付着し構成された第一の糸を第二の糸に等間隔を設けらせん状に圧着し巻きつけた糸を１メートル程度の糸として用いることにより、顔肌表面への処理を施す際には安全性を発揮することとなる。その糸の両端に自在に調節可能な輪を設け、その糸の一端を一方の手の親指の第一関節周辺に装着固定し、更に他端を一方の手の人差し指の爪の生え際周辺に装着固定する。垂れ下がるその糸の中央部に他方の手の親指を除く四指をくぐらせ、あやとりのようにその糸を支え、一方の手及び、他方の手のそれぞれの五指を垂直に立て、胸の前で垂みのないように広げて持つ。更に一方の手の一端に装着固定された親指を前方に数回、回転し巻きつけ、同時に他方の手の手首を手前に同数回、回転させ、他方の手の中指、薬指、小指にて掌にその糸を包み込み支え、更に他方の手の親指と人差し指で糸を抑え込むようにし、落下を防ぎその糸の中央部に交差状態を作る。一方の手及び、他方の手を下方向に向け一方の手の親指の第一関節周辺及び、人差し指の爪の生え際周辺に共に装着固定されたその二指を開閉しながらその糸の中央部にできた交差箇所にて顔肌表面の処理をおこなう。更に、首筋、うなじ、手の甲、腕、背中、足、身体全体の処理も行える。その糸の表面の特徴であるらせん状面の構成は滑りも良く弾力性の伴うマッサージ効果にも優れ血液の循環作用にも働きかけ血行も促進され身体全体の老化防止や美容及び美肌効果も得られる。身体の肌表面においては、その糸の移動も容易に行なえることで、肌表面へかかる負担も軽減されることにより安全性を確保し問題点を解決している。
【実施例】
【０００８】  以下、添付図面に従って一実施例を説明する。１は綿により形成された綿糸、２は極細ポリエステル糸に金属を付着した糸で、極細ポリエステルに金属を付着した糸２を綿糸１に等間隔を設け、らせん状に圧着し巻きつけることで一本の糸となる。【０００９】  本考案の一実施例は上述の如き構成からなるものであるから、極細ポリエステル糸に金属を付着し構成された糸２を綿糸１に等間隔を設け、らせん状に圧着することで一本の糸として用いることで使用できる。
【符号の説明】
【００１０】    １  綿糸
２  極細ポリエステル糸に金属を付着した糸
【図１】
0003166019.tif 000003
【図２】
0003166019.tif 000004
(57)【要約】      （修正有）【課題】自分で自分の背中に、確実に簡単にシップ薬を貼ることができるシートを提供する。【解決手段】伸縮素材のシート上に背中の位置を明示し、腰部と背骨部を盛り上げる。貼りたい部位に、シップ薬のフィルムをはがして置き、そのシートの横へ、シート側が背面に来るよう体を横臥位にしシートと自分の背中の位置を合わせ、シートの上にゴロッと反転する事によりシップ薬が確実に簡単に貼れる。【選択図】図１
0003166016.tif 000002
【実用新案登録請求の範囲】
【請求項１】
伸縮素材のシート上に背中を重ねるための目印として、肩甲骨と背骨の位置を明示し、背中を重ねた時、背中にフィットするよう、腰部と背骨部を盛り上げたシート。
【考案の詳細な説明】
【技術分野】
【０００１】  本考案は、自分で自分の背中にシップ薬を貼る事に関する。
【背景技術】
【０００２】  従来、自分の背中には自分でシップ薬を貼ることが出来なかった。
【考案の概要】
【考案が解決しようとする課題】
【０００３】  自分の背中へシップ薬を貼る時は、他人に貼ってもらわないと貼れなかったが、自分で貼る事が出来る。
【課題を解決するための手段】
【０００４】  本考案のシートを自分の背中と想定し、貼りたい部位に、シップ薬のフィルムをはがして置き、そのシートの横へシート側が背面に来るように体を横臥位にし、背中の位置を合わせ、シートの上にゴロッと反転する事によりシップ薬が確実に、簡単に貼れる。
【考案の効果】
【０００５】  上述したように、本考案のシートは、シップ薬を他人の手を借りず、自分自身で自分の背中に、確実に簡単に患部に貼ることが出来る。
【図面の簡単な説明】
【０００６】
【図１】  本考案の上部からの実施形態。
【図２】  本考案の横からの図。
【図３】  本考案の後からの図。
【考案を実施するための形態】
【０００７】  図１に背中を重ねた時、背中の貼りたい部位にシップ薬が来る目標として、図１−１が右肩甲骨、図１−２が背骨、図１−３が左肩甲骨を明示し、それを目印に部位を確認したうえでシップ薬のフィルムをはがして置き、シートが背面に来るように横臥位になり、図１の上に反転する。
【０００８】  図２については、横からの図であるが、図２−１は腰部にあたり、盛り上げており、シップ薬が腰部にピタッと貼る事が出来る。
【０００９】  図３については、後ろからの図であるが、背中の位置が明瞭になるよう、図３−１は背骨部分を盛り上げている。
【実施例】
【００１０】  本考案により、シップ薬を他人の手を借りず、簡単に確実に貼りたい場所に貼ることが出来る。
【産業上の利用可能性】
【００１１】  自分で貼れなかった、自分の背中へのシップ薬が簡単、確実に貼れるため利用の可能性が高い。
【図１】
0003166016.tif 000003
【図２】
0003166016.tif 000004
【図３】
0003166016.tif 000005
(57)【要約】【課題】  明るいところで見える織物の図柄や模様が、暗くなると、全く違った図柄や模様に変化して見える新たな織物を提供することを課題とする。【解決手段】  上記課題を解決するために、引き箔シートに彩色した図柄や模様を描き、その上から蓄光塗料でもって新たな図柄や模様を重ね塗りしてなる引き箔シートを糸状に細く裁断して箔糸を作り、その箔糸を緯糸として経糸開口部に引き込んで織り込んでなる引き箔織物としたことを特徴とする。【選択図】図３
0003166017.tif 000002
【実用新案登録請求の範囲】
【請求項１】
引き箔シートに彩色した図柄や模様を描き、その上から蓄光塗料でもって新たな図柄や模様を重ね塗りしてなる引き箔シートを糸状に細く裁断して箔糸を作り、その箔糸を緯糸として経糸開口部に引き込んで織り込んでなる引き箔織物。
【考案の詳細な説明】
【技術分野】
【０００１】  この考案は、蓄光塗料を用いて引箔原紙に図柄を描いたものを細く裁断し、それを緯糸として織り込んだ織物に関する。
【背景技術】
【０００２】  暗闇でも、織物の模様や図柄を浮き上がらせる手法として、着色した蓄光糸で織物を織り、それをお守り袋に縫製したものとして下記特許文献のものが知られている。
蓄光糸は、光が当ると、その光エネルギーを吸収し、暗闇において、そのエネルギーを活性化させて発光するもので、ナイロン、ポリエステル、ポリプロピレン等の合成繊維糸に、蓄光顔料を混ぜた樹脂を付着させたもので、その発光色も例えば、赤、青、黄、緑、紫等、種々に着色されたものである。これらの蓄光糸を経糸、緯糸に使って織物の図柄や模様を織り込んでいくと、暗闇で、蓄光糸の部分を発光させて、図柄や模様、文字等を浮き上がらせることができる。
【先行技術文献】
【特許文献】
【０００３】
【特許文献１】特開２００７−６８６１３号
【考案の概要】
【考案が解決しようとする課題】
【０００４】  しかし、蓄光糸を使った織物は、図柄や模様が暗闇で発光するだけであるので、そうした蓄光糸を使って帯等の図柄や模様を織っても、その図柄や模様が暗闇で浮き出るだけで、それが全く違った図柄や模様に変化する訳ではない。
この考案は、明るいところで見える織物の図柄や模様が、暗くなると、全く違った図柄や模様に変化して見える新たな織物を提供することを課題とする。
【課題を解決するための手段】
【０００５】  この考案は、上記課題を解決するために、引き箔シートに彩色した図柄や模様を描き、その上から蓄光塗料でもって新たな図柄や模様を重ね塗りしてなる引き箔シートを糸状に細く裁断して箔糸を作り、その箔糸を緯糸として経糸開口部に引き込んで織り込んでなる引き箔織物としたことを特徴とする。【０００６】  ここで使用する引き箔という技法は、わが国において古くから用いられている織技法の一つで、伝統的には、薄くて強い和紙に、漆を接着剤として、金箔、銀箔を貼り付け、それを細かく糸状に裁断したものを手引き織り込みの緯糸として織り込んでいく手法であるが、この考案では、和紙や薄い漆液を塗った織物等の薄いシートに彩色した図柄や模様を描き、その上から蓄光塗料でもって新たな図柄や模様を重ねて描く。その際、明るいところで見える通常の図柄や模様と、蓄光塗料で描く図柄や模様とを全く別なものとして描く、或いは、一部の図柄や模様を共通にして、その上に同系色の透明な蓄光塗料を塗り重ね、そこに新たな図柄や模様を蓄光塗料で書き加えていく。蓄光塗料は、乾くと透明になるもの、着色するもの、白色に変化するもの等種々のものがあるので、それらの乾いた時の色合いを十分考慮しながら、明るいところで見える図柄や模様と、暗いところで見える図柄や模様を、重ねて描いていくのである。
こうして描かれた引き箔シートができると、それを、例えば０．５ミリ〜０．９ミリの糸状に裁断して箔糸を作り、それを緯糸として、手引き織り機の経糸開口部に引き込んで織り込んでいく。
【考案の効果】
【０００７】  この考案によると、明るいところで見えていた図柄や模様が、暗いところでは、全く違った色合いの図柄や模様に変化するので、見る者に驚きを与えるとともに、一つの織物で、昼用と夜用に使い分けることができる便利さがある。
【図面の簡単な説明】
【０００８】
【図１】引き箔シートに明るいところで見える図柄の一例として描いた絵の平面図
【図２】上記シートに暗いところで見える図柄の一例として描いた絵の平面図
【図３】図１の絵と図２の絵を重ねた状態の平面図
【図４】引き箔シートを糸状に裁断した状態の平面図
【考案を実施するための形態】
【０００９】  図１は、明るいところで見える絵の一例として、引き箔シートに描いた絵の平面図を示す。この図において、引き箔シートＳは、薄い和紙が好ましいが、薄い漆液を塗布した織物であってもよい。そうしたシートＳに、帯等の織物としての図柄や模様を彩色しながら描いていく。図１の絵は、そうして描いた帯柄の一例である。
図２は、暗いところで見える絵の一例として、引き箔シートＳに描いた絵の平面図を示す。この絵は、蓄光塗料を使って図１の絵の上に重ねて描いて行く。そして、蓄光塗料が乾くと、描いた月とその背景色の塗料は、図１の背景色と同化して図１の絵の状態に戻り、夜になると、蓄光塗料の部分が発行して、図３のような絵となる。
そうして描かれた引き箔シートＳができると、それを０．５ミリから０．９ミリ幅の糸状に裁断して図４に示すような箔糸ｔを作る。
この箔糸ｔを緯糸として、周知の手引き織り込みによって引き箔織物を織りあげていく。それを帯に仕立てれば、図１に示すものが明るいとこで見える絵柄となり、図３に示すものが暗いところで見える絵柄となる。
【符号の説明】
【００１０】Ｓ      引き箔シート
ｔ      箔糸
【図１】
0003166017.tif 000003
【図２】
0003166017.tif 000004
【図３】
0003166017.tif 000005
【図４】
0003166017.tif 000006